(57)【要約】【課題】  汎用性を保持しつつ、対となる分割基板のみをミッドプレーンに挿入可能にするミッドプレーン方式基板の誤挿入防止構造及びネットワーク機器を提供する。【解決手段】  本発明は、互いに対となる第１分割基板６Ａと第２分割基板６ａとを、ミッドプレーン８の両側に設けられたコネクタ９、１２に挿入し、一体のネットワーク基板６として使用するミッドプレーン方式基板の誤挿入防止構造であって、前記第１分割基板６Ａに設けられ、前記第１分割基板６Ａが前記コネクタ９に挿入されたときに、前記ミッドプレーン８より前記第２分割基板６ａ側に突出する第１干渉部材１１と、前記第２分割基板６ａに設けられ、前記第２分割基板６ａが前記コネクタ１２に挿入されたときに、対となる前記第１分割基板６Ａの前記第１干渉部材１１を許容して、対となる前記第１分割基板６Ａのみを前記コネクタ９に挿入可能にする第２干渉部材１４とを備えることを特徴とする。【選択図】  図３
2008181837.tif 000002
【特許請求の範囲】
【請求項１】
互いに対となる第１分割基板と第２分割基板とを、ミッドプレーンの両側に設けられたコネクタに挿入し、一体の基板として使用するミッドプレーン方式基板の誤挿入防止構造であって、
前記第１分割基板に設けられ、前記第１分割基板が前記コネクタの一方に挿入されたときに、前記ミッドプレーンより前記第２分割基板側に突出する第１対応確認部と、
前記第２分割基板に設けられ、前記第２分割基板が前記コネクタの他方に挿入されたときに、対となる前記第１分割基板の前記第１対応確認部を許容して、対となる前記第１分割基板のみを前記コネクタの一方に挿入可能にする第２対応確認部と、
を備えることを特徴とするミッドプレーン方式基板の誤挿入防止構造。
【請求項２】
前記ミッドプレーンは干渉許容部を有し、前記第１対応確認部は前記干渉許容部を通って前記第２分割基板側に突出することを特徴とする請求項１に記載のミッドプレーン方式基板の誤挿入防止構造。
【請求項３】
前記第１対応確認部は、前記第１分割基板に設けられた第１干渉部材であり、前記第２対応確認部は前記第２分割基板に設けられた第２干渉部材であることを特徴とする請求項１又は２のいずれか１項に記載のミッドプレーン方式基板の誤挿入防止構造。
【請求項４】
前記第１対応確認部に前記第１干渉部材が複数設けられていることを特徴とする請求項１から３のいずれか１項に記載のミッドプレーン方式基板の誤挿入防止構造。
【請求項５】
前記第１対応確認部は、
前記ミッドプレーンに設けられた孔に挿通され、前記ミッドプレーンの両側に所定の範囲内で移動可能に設けられた干渉部と、
前記第１分割基板に設けられ、前記第１分割基板が前記コネクタの一方に挿入されたときに、前記干渉部と当接して前記干渉部を前記第２分割基板側に移動させる当接部材と、
を有することを特徴とする請求項１又は２のいずれか１項に記載のミッドプレーン方式基板の誤挿入防止構造。
【請求項６】
前記第２対応確認部は、対となる前記第１分割基板の前記第１対応確認部と嵌合可能に形成され、対となる前記第１分割基板のみを前記コネクタの一方に挿入可能にすることを特徴とする請求項１から４のいずれか１項に記載のミッドプレーン方式基板の誤挿入防止構造。
【請求項７】
互いに対となる第１分割基板と第２分割基板とを、ミッドプレーンの両側に設けられたコネクタに挿入し、一体の基板として使用するミッドプレーン方式基板の誤挿入防止構造であって、
前記ミッドプレーンに設けられた孔に挿通され、前記ミッドプレーンの両側に所定の範囲内で移動可能に設けられた複数の干渉部と、
前記第１分割基板に設けられ、前記第１分割基板が前記コネクタの一方に挿入されたときに、前記干渉部の１つと当接して前記第２分割基板側に移動させる第１対応確認部と、
前記第２分割基板に設けられ、前記第２分割基板が前記コネクタの他方に挿入されたときに、対となる前記第１対応確認部と当接した前記干渉部の前記第２分割基板側への移動を許容し、対となる前記第１分割基板のみを前記コネクタの一方に挿入可能にする第２対応確認部と、
を備えたことを特徴とするミッドプレーン方式基板の誤挿入防止構造。
【請求項８】
請求項１から７のいずれか１項に記載の誤挿入防止構造を有するミッドプレーン方式基板を備えたことを特徴とするネットワーク機器。
【発明の詳細な説明】
【技術分野】
【０００１】
本発明は、ミッドプレーンを介して一体に接続して使用する基板の誤挿入防止構造及びネットワーク機器に関する。
【背景技術】
【０００２】
従来、基板を多数備えて形成されるネットワーク機器において、メンテナンス性の向上等を目的として、ミッドプレーン方式を採用した基板が提案されている。
【０００３】
これは、基板を２枚の分割基板から構成し、一方の分割基板にはパケット処理等を行うＣＰＵ等の半導体装置を搭載し、他方の分割基板にはネットワークインターフェース等を集中させ、ミッドプレーンの両面に基板を収納するスロット毎に設けられたコネクタに、ペアとなる各分割基板を挿入して、ミッドプレーンを介して一体化した１枚の基板として機能させる方式である。
【０００４】
この方式には、故障等のトラブルが発生しやすい半導体装置を一方の分割基板に集中して搭載することで、他方の基板に設けられた配線等に触れずに当該分割基板だけを抜き出してメンテナンス等の作業が行えるという利点がある。
【０００５】
一般的に、基板は本来挿入すべきでないコネクタに挿入して通電すると、破損して使用不能となるため、コネクタと基板との挿入部位に誤挿入防止構造を設けることが、特許文献１を始めとして多数提案されている。
【特許文献１】特開平６−２１６７０号公報
【発明の開示】
【発明が解決しようとする課題】
【０００６】
ところで、ミッドプレーン方式においては、１つのスロットにおいて、ミッドプレーンの両側にペアとなる分割基板が挿入される必要があり、ペアでない他の分割基板を誤って挿入して通電してしまうと、基板が破損して使用不能になるという問題がある。
しかしながら、特許文献１の誤挿入防止構造は、コネクタと基板との間の誤挿入を防ぐことはできるが、当該スロットにおいて、ミッドプレーンの両側に挿入された分割基板がペアとなって使用されるものかどうかを検証することはできない。すなわち、たとえペアでない分割基板であっても、コネクタの形状さえ適合すれば挿入できてしまうので、ミッドプレーン方式採用時に発生する上述のような誤挿入を防止することはできないという問題がある。
【０００７】
一方、すべての分割基板が異なるコネクタ形状を有するように構成すれば、上述のような誤挿入は防止できるものの、ミッドプレーンに多種類のコネクタを設ける必要があり、コスト上昇を招く。
【０００８】
さらに、このような構成では、スロット毎に挿入できる分割基板のペアが限定されるので、当該スロットに他の種類の基板を構成する分割基板を挿入することができなくなり、装置の汎用性が低下するという問題がある。
【０００９】
本発明は上記事情に鑑みて成されたものであり、汎用性を保持しつつ、対となる分割基板のみをミッドプレーンに挿入可能にするミッドプレーン方式基板の誤挿入防止構造及びネットワーク機器を提供することを目的とする。
【課題を解決するための手段】
【００１０】
本発明は、互いに対となる第１分割基板と第２分割基板とを、ミッドプレーンの両側に設けられたコネクタに挿入し、一体の基板として使用するミッドプレーン方式基板の誤挿入防止構造であって、前記第１分割基板に設けられ、前記第１分割基板が前記コネクタの一方に挿入されたときに、前記ミッドプレーンより前記第２分割基板側に突出する第１対応確認部と、前記第２分割基板に設けられ、前記第２分割基板が前記コネクタの他方に挿入されたときに、対となる前記第１分割基板の前記第１対応確認部を許容して、対となる前記第１分割基板のみを前記コネクタの一方に挿入可能にする第２対応確認部とを備えることを特徴とする。
【００１１】
本発明のミッドプレーン方式基板の誤挿入防止構造によれば、対応しない第１分割基板がミッドプレーンの一方のコネクタに挿入しようとするときに、第２分割基板に設けられた第２対応確認部が、当該第１分割基板の第１対応確認部が第２分割基板側に突出することを阻害して当該第１分割基板を挿入不能にする。
【００１２】
前記ミッドプレーンは干渉許容部を有し、前記第１対応確認部は前記干渉許容部を通って前記第２分割基板側に突出するものでもよい。この場合、分割基板の誤挿入を防止しつつ、ミッドプレーンに設けられたコネクタに対する各分割基板の位置決めを行うことができる。
【００１３】
前記第１対応確認部は、前記第１分割基板に設けられた第１干渉部材であり、前記第２対応確認部は前記第２分割基板に設けられた第２干渉部材であってもよい。この場合、簡素な構造で誤挿入の防止を図ることができる。
【００１４】
前記第１対応確認部には前記第１干渉部材が複数設けられてもよい。この場合、誤挿入を防止する第１分割基板と第２分割基板との組み合わせの数を増加させることができるので、多種類の基板を使用可能に構成されたネットワーク機器等にも対応することができる。
【００１５】
前記第１対応確認部は、前記ミッドプレーンに設けられた孔に挿通され、前記ミッドプレーンの両側に所定の範囲内で移動可能に設けられた干渉部と、前記第１分割基板が前記コネクタの一方に挿入されたときに、前記干渉部と当接して前記干渉部を前記第２分割基板側に移動させる当接部材とを有するものでもよい。この場合、第１対応基板に突出部分を設ける必要がないので、製造並びに保管をしやすく第１分割基板を構成することができる。
【００１６】
前記第２対応確認部は、対となる前記第１分割基板の前記第１対応確認部と嵌合可能に形成され、対となる前記第１分割基板のみを前記コネクタの一方に挿入可能にするものでもよい。この場合、第１対応確認部と第２対応確認部を同軸上の位置に設けることができるので、第１対応確認部及び第２対応確認部を設けるスペースを節約することができる。
【００１７】
また、本発明のミッドプレーン方式基板の誤挿入防止構造は、互いに対となる第１分割基板と第２分割基板とを、ミッドプレーンの両側に設けられたコネクタに挿入し、一体の基板として使用するミッドプレーン方式基板の誤挿入防止構造であって、前記ミッドプレーンに設けられた孔に挿通され、前記ミッドプレーンの両側に所定の範囲内で移動可能に設けられた複数の干渉部と、前記第１分割基板に設けられ、前記第１分割基板が前記コネクタの一方に挿入されたときに、前記干渉部の１つと当接して前記第２分割基板側に移動させる第１対応確認部と、前記第２分割基板に設けられ、前記第２分割基板が前記コネクタの他方に挿入されたときに、対となる前記第１対応確認部と当接した前記干渉部の前記第２分割基板側への移動を許容し、対となる前記第１分割基板のみを前記コネクタの一方に挿入可能にする第２対応確認部とを備えたことを特徴とする。
【００１８】
本発明のミッドプレーン方式基板の誤挿入防止構造によれば、第１分割基板と第２分割基板のいずれも突出する構造を設けずに作製することができるので、製造並びに保管をしやすく基板を構成することができる。
【００１９】
さらに、本発明のネットワーク機器は、本発明の誤挿入防止構造を有するミッドプレーン方式基板を備えたことを特徴とする。本発明のネットワーク機器によれば、対でない第１分割基板と第２分割基板とを誤ってミッドプレーンの両側に挿入することによる基板の破損等を防止することができる。
【発明の効果】
【００２０】
本発明のミッドプレーン方式基板の誤挿入防止構造によれば、ペアでない第１分割基板と第２分割基板とは、同時にミッドプレーンに挿入できなくなるため、誤挿入による不都合の発生を防止することができる。
【発明を実施するための最良の形態】
【００２１】
以下、本発明の第１実施形態のネットワーク機器及びミッドプレーン方式基板の誤挿入防止構造について、図１および図２を参照して説明する。
図１は本実施形態の誤挿入防止構造を有するミッドプレーン方式基板を備えたネットワーク機器の斜視図である。ネットワーク機器１は、複数のスロット２を有する筐体３と、筐体３に設けられた複数の電源ボックス４と、スロット２に挿入された複数の管理基板５と、スロット２に挿入された複数の第１ネットワーク基板（ミッドプレーン方式基板）６及び第２ネットワーク基板（ミッドプレーン方式基板）７とを備えて構成されている。
【００２２】
管理基板５にはネットワーク機器１を管理するための図示しない各種機器が搭載され、各ネットワーク基板６、７にはネットワークインターフェースやパケット処理等のネットワーク処理を行うプロセッサ等が搭載されている。第１ネットワーク基板６と第２ネットワーク基板７とは、基板に搭載されたネットワークインターフェースやネットワークプロセッサ等が異なり、それぞれ異なる用途又は機能を有するよう構成されている。
【００２３】
図２に分解図で示すように、管理基板５は、それぞれ第１分割基板５Ａと第２分割基板５ａとから構成されている。第１ネットワーク基板６及び第２ネットワーク基板７は、それぞれ異なる第１分割基板６Ａ、７Ａと、第２分割基板６ａ、７ａとから構成されている。
【００２４】
管理基板５及び各ネットワーク基板６、７は、筐体３の内部に設けられたミッドプレーン８の両面にスロット毎に設けられた後述するミッドプレーン側コネクタに、ペアとなる第１分割基板５Ａ、６Ａ、７Ａと第２分割基板５ａ、６ａ、７ａとがそれぞれ挿入されて、一体となった基板として機能する。
【００２５】
各ネットワーク基板６、７のうち、ミッドプレーン８の電源ボックス４側の面に挿入される第１分割基板６Ａ、７Ａには、図示しないネットワークインターフェース及び関連する配線等が設けられている。反対側の面に挿入される第２分割基板６ａ、７ａには、パケット処理などを行う図示しないネットワークプロセッサ等が主に設けられている。
【００２６】
このため、通常故障のしやすいネットワークプロセッサ等のメンテナンスは、第２分割基板６ａ、７ａを引き抜くだけで、ネットワークインターフェースや配線等の複雑な構造に触れることなく行うことができるため、メンテナンスの利便性が向上した構成となっている。
【００２７】
図３は第１ネットワーク基板６と、ミッドプレーン８とを示す模式図である。第１分割基板６Ａは、ミッドプレーン８に設けられたミッドプレーン側第１コネクタ（以下、「第１コネクタ」と称する。）９に挿入可能な第１基板側コネクタ１０と、第１基板側コネクタ１０が設けられた辺の端部に、第１基板側コネクタ１０よりも突出して設けられた棒状の第１干渉部材（第１対応確認部）１１とを備えている。第１分割基板６Ａと対となる第２分割基板６ａも同様に、第１コネクタ９と反対側の面に設けられたミッドプレーン側第２コネクタ１２に挿入可能な第２基板側コネクタ１３と第２干渉部材（第２対応確認部）１４とを備えている。ミッドプレーン８には第１干渉部材１１及び第２干渉部材１４が通過可能に、孔（干渉許容部）１５Ａ、１５Ｂがそれぞれ設けられている。
【００２８】
上記のように構成されたネットワーク基板の誤挿入防止構造の動作について、図４を参照して以下に説明する
図４（ａ）及び（ｂ）は第１分割基板及び第２分割基板をミッドプレーンに挿入する状態を示す図である。図４（ａ）は、ミッドプレーン８の両側のミッドプレーン側コネクタ９、１２に、第１分割基板６Ａと、ペアとなる第２分割基板６ａの第１基板側コネクタ１０及び第２基板側コネクタ１３をそれぞれ挿入して接続する状態を示している。
【００２９】
このとき、第１分割基板６Ａの第１干渉部材１１は、ミッドプレーン８の孔１５Ａを通って第２分割基板６ａ側に突出し、第２分割基板６ａの第２干渉部材１４は、ミッドプレーン８の孔１５Ｂを通って第１分割基板６Ａ側に突出するが、各分割基板６Ａ、６ａ上の第１干渉部材１１及び第２干渉部材１４が突出する部位には、各干渉部材と接触するものが何もないため、いずれの分割基板も挿入可能であり、一体のネットワーク基板６として使用可能である。
【００３０】
図４（ｂ）は、各ミッドプレーン側コネクタ９、１２に、ペアでない第１分割基板７Ａと第２分割基板６ａの第１基板側コネクタ１０及び第２基板側コネクタ１３をそれぞれ挿入して接続する状態を示している。第１分割基板７Ａの第１基板側コネクタ１０は、第１分割基板６Ａと共通であるため、第１コネクタ９に挿入可能であるが、第１干渉部材１６は、第１基板側コネクタ１０の左側に突出して設けられており、第１分割基板７Ａの第１基板側コネクタ１０を第１コネクタ９に挿入したときに、孔１５Ｂを通って第２分割基板６ａ側に突出可能に設けられている。
【００３１】
この場合は、各分割基板７Ａ、６ａのいずれを先にミッドプレーン８に挿入しても、孔１５Ｂから当該分割基板の干渉部材が他方の分割基板側に突出した状態となる。従って、他方の分割基板をミッドプレーン８のコネクタに挿入しようとしても、必ず第２干渉部材１４と第１干渉部材１６とが衝突するため、物理的に挿入が不可能となる。
【００３２】
本実施形態の誤挿入防止構造によれば、ペアでない分割基板（上述の７Ａと６ａ）の干渉部材が衝突することによって、対応しない分割基板のペアを同時にミッドプレーン側コネクタ９、１２に挿入することが物理的に不可能となるため、誤挿入後の通電による基板の破損等の事故を確実に防止することができる。
【００３３】
また、各分割基板に第１干渉部材又は第２干渉部材を設けるだけの構造のため、共通のミッドプレーン側コネクタ及び基板側コネクタを用いて、多種類のネットワーク基板を使用できるようにネットワーク機器１の汎用性を保持しつつ、簡素な構造で誤挿入を確実に防止することができる。
【００３４】
さらに、第１干渉部材及び第２干渉部材がミッドプレーン８に設けられた孔１５Ａ、１５Ｂを通って他方の基板側に突出するため、各干渉部材がミッドプレーン８に対する各分割基板の位置決め効果をも有する。従って、各分割基板の第１基板側コネクタ１０，１３をスムーズに各ミッドプレーン側コネクタ９，１２に接続することができる。
【００３５】
次に、本発明の第２実施形態について図５及び図６を参照して説明する。本実施形態と上述の第１実施形態との異なる点は、第１分割基板に干渉部材が複数設けられている点である。なお、上述の第１実施形態と同様の構成要素については、同一の符号を付し、重複する説明を省略する。
【００３６】
図５（ａ）は本実施形態の誤挿入防止構造を備えるネットワーク基板（ミッドプレーン方式基板）２１及びミッドプレーン２２の模式図である。本実施形態の第１分割基板２１Ａには、２本の第１干渉部材（第１対応確認部）２３Ａ及び２３Ｂが設けられている。また、図５（ｂ）に示すように、ミッドプレーン２２には第１実施形態の孔に代えて、上下の端部に半長円形の切り欠き（干渉許容部）２４Ａ及び２４Ｂが設けられている。
【００３７】
上記のように構成されたネットワーク基板２１の誤挿入防止構造の動作について、図５（ａ）及び図６を参照して以下に説明する。
例えば、先に第１分割基板２１Ａの第１基板側コネクタ１０をミッドプレーン２２の第１コネクタ９に挿入した場合、第１分割基板２１Ａに設けられた２本の第１干渉部材２３Ａ、２３Ｂがミッドプレーン２２に設けられた切り欠き２４Ａを通って第２分割基板２１ａ側に突出する。
【００３８】
このとき、ペアとなる第２分割基板２１ａに設けられた第２干渉部材１４は、２本の第１干渉部材２３Ａ、２３Ｂと衝突しないため、各分割基板２１Ａ，２１ａをミッドプレーン２２に接続して、一体のネットワーク基板２１として使用することができる。
【００３９】
一方、第１分割基板２１Ａとペアでない他の第２分割基板２１ｂには、図６（ａ）に示すように第１干渉部材２３Ａ、２３Ｂが突出する位置に第２干渉部材２５Ａ及び２５Ｂが設けられている。従って、第１分割基板２１Ａと第２分割基板２１ｂとをミッドプレーン２２に挿入しようとする際に、第１干渉部材２３Ａ、２３Ｂと、第２干渉部材２５Ａ、２５Ｂとが衝突するため、これらの分割基板を同時にミッドプレーンに挿入することは物理的にできない。
【００４０】
第１分割基板２１Ａの第１干渉部材２３Ａ、２３Ｂと衝突して挿入を不能にする第２分割基板の第２干渉部材の態様は、図６（ａ）に示した上述の場合に限られない。例えば、図６（ｂ）や図６（ｃ）に示すように、第１分割基板２１Ａの第１干渉部材２３Ａ、２３Ｂのうち、いずれか１本と衝突するように第２干渉部材２５Ａ又は２５Ｂのいずれか１本のみが設けられた第２分割基板２１ｃ、２１ｄは、いずれも第１分割基板２１Ａと同時にミッドプレーン２２に挿入することが物理的に不可能である。
【００４１】
本実施形態の誤挿入防止構造によれば、第１分割基板２１Ａに第１干渉部材を複数設けることによって、第１分割基板２１Ａと同時にミッドプレーン２２に挿入できない第２分割基板の第２干渉部材の配置パターンが増加する。従って、より多くの種類の基板に対して総合的に誤挿入を防止することができるので、多種類の基板を挿入可能に構成されたより汎用性の高いネットワーク機器にも対応することができる。
【００４２】
また、ミッドプレーン２２には切り欠き２４Ａ、２４Ｂが設けられているので、各分割基板に設けられる干渉部材の数に合わせて孔を複数設ける必要がなく、切り欠きの長さを調整するだけで、複数の干渉部材にも対応可能にミッドプレーンを構成することができる。従って、より加工の容易なミッドプレーン方式基板の誤挿入防止構造とすることができる。
【００４３】
次に、本発明の第３実施形態について図７及び図８を参照して説明する。本実施形態と上述の第１及び第２実施形態との異なる点は、ミッドプレーンに干渉部が設けられている点である。なお、上述の第１実施形態と同様の構成要素については、同一の符号を付し、重複する説明を省略する。
【００４４】
図７は本実施形態の誤挿入防止構造を有するネットワーク基板（ミッドプレーン方式基板）３１及びミッドプレーン３２の模式図である。ミッドプレーン３２の各ミッドプレーン側コネクタ９、１２が設けられた部位の下端付近には孔（干渉許容部）３３が設けられており、一方からボルト３４が挿通され、反対側においてナット３５で螺合固定されている。図８（ａ）に示すように、ボルト３４には、ねじ部３６の軸線に沿って貫通孔３７が設けられている。
【００４５】
貫通孔３７には、所定の長さのロッド３８が挿通されて設けられており、ロッド３８の両端にはストッパ３９Ａ及び３９Ｂがそれぞれ設けられている。ストッパ３９Ａ、３９Ｂの直径は貫通孔３７の直径より大きく設定されており、ロッド３８はストッパ３９Ａ、３９Ｂのいずれか一方がボルト３４又はナット３５に当接するまでの一定の範囲で自由に移動可能に構成され、ロッド３８とストッパ３９Ａ、３９Ｂとで干渉部４０が構成されている。
【００４６】
第１分割基板３１Ａの第１基板側コネクタ１０が設けられた端部には、ストッパ３９Ａと当接するように第１当接部材（当接部材）４１が第１分割基板３１Ａに対して垂直に突出して設けられている。当接部材４１は、図７に示すように、ミッドプレーン３２側には突出しておらず、干渉部４０と第１当接部材４１とで第１対応確認部４２が形成されている。
【００４７】
上記のように構成されたネットワーク基板３１の誤挿入防止構造の動作について、図７及び図８を参照して以下に説明する。
図７に示すように、第１分割基板３１Ａの第１基板側コネクタ１０を第１コネクタ９に挿入すると、第１分割基板３１Ａ上の第１当接部材４１がストッパ３９Ａに当接し、干渉部４０を第２分割基板３１ａ側に移動させる。第１分割基板３１Ａを挿入し終えると、図８（ａ）に示すように、干渉部４０が第２分割基板３１ａ側に突出した状態で停止する。
【００４８】
このとき、第１分割基板３１Ａとペアである第２分割基板３１ａに設けられた第２干渉部材１４は干渉部４０と衝突せず、かつ干渉部４０が突出している部位に他の部材も設けられていないので、各分割基板３１Ａ及び３１ａを問題なくミッドプレーン３２に挿入することができ、一体のネットワーク基板３１として使用することができる。
【００４９】
一方、第１分割基板３１Ａとペアでない第２分割基板３１ｂには、図８（ｂ）に示すように、干渉部４０が突出する位置に、第１分割基板３１Ａと同様の態様で第２当接部材（第２対応確認部）４３が設けられているため、第１分割基板３１Ａと第２分割基板３１ｂとを同時に挿入しようとすると、第２当接部材４３がストッパ３９Ｂと当接し、それ以上挿入することが物理的に不可能である。従って、第１分割基板３１Ａと第２分割基板３１ｂとが誤って同時にミッドプレーン３２に挿入、接続されることはない。
【００５０】
本実施形態の誤挿入防止構造によれば、ペアでない分割基板のいずれか一方がミッドプレーン３２に挿入された際に、ミッドプレーン３２に所定の範囲移動可能に設けられた干渉部４０が他方の分割基板側に突出して、他方の分割基板に設けられた当接部材と当接することで誤挿入を防止する。従って、各分割基板に突出する部材を設ける必要がないので、各分割基板を保管等がしやすい形状に構成しつつ誤挿入を防止することができる。
【００５１】
以上、本発明の実施形態について説明したが、本発明の技術範囲は上記実施の形態に限定されるものではなく、本発明の趣旨を逸脱しない範囲において種々の変更を加えることが可能である。
例えば、上記実施形態においては、干渉部が１箇所に設けられている例を説明したが、干渉部は複数設けられていてもよいし、第１対応確認部と第２対応確認部のいずれも干渉部を有するように誤挿入防止構造が構成されてもよい。このように構成すると、各分割基板には当接部材を設けるだけでよいため、各分割基板に突出する部位がなくなり、製造並びに保管に適した形状に分割基板を構成することができる。
【００５２】
また、上記実施形態においては、第１対応確認部および第２対応確認部がともに棒状の干渉部材である例を説明したが、これに代えて、第２対応確認部は、第１対応確認部と嵌合可能な形状に形成されていてもよい。例えば、第１対応確認部の断面は正方形であり、第２対応確認部は第１対応確認部が嵌合可能な正方形の断面の凹部を有する構造となっており、対でない第１分割基板の第１対応確認部の断面は三角形であり、第２対応確認部とは嵌合不能に形成されていても、本発明の誤挿入防止機能を発揮することができる。
この場合、第１対応確認部と第２対応確認部は同軸上に配置されることになるため、誤挿入防止構造を設けるための分割基板上のスペースを節約して、基板をコンパクトに構成することができる。
【００５３】
さらに、上記実施形態においては、ミッドプレーンに干渉許容部として、孔又は切り欠きが設けられている例を説明したが、これに代えて、孔に膜状の弾性部材を設け、干渉部材が弾性部材を変形させて弾性部材とともに第２分割基板側に突出するように干渉許容部を構成してもよい。
【００５４】
また、干渉許容部を設けず、第１分割基板及び第２分割基板の幅方向の寸法をミッドプレーンの幅寸法より大きく形成して、図２に示す状態で第１分割基板及び第２分割基板がミッドプレーン８の上下に突出するように構成してもよい。
この場合、第１対応確認部及び第２対応確認部をミッドプレーン８の外側に設けることによって、ミッドプレーンに加工を施さずに第１対応確認部と第２対応確認部とを干渉させてペアでない分割基板の誤挿入を防止することができる。
【図面の簡単な説明】
【００５５】
【図１】本発明の第１実施形態の誤挿入防止構造を有する基板を備えたネットワーク機器を示す斜視図である。
【図２】同実施形態のネットワーク機器の分解斜視図である。
【図３】同実施形態の第１ネットワーク基板と、ミッドプレーンとを示す模式図である。
【図４】（ａ）は、同実施形態において、ペアとなる第１分割基板及び第２分割基板がミッドプレーンに挿入される状態を示す図であり、（ｂ）は、ペアでない第１分割基板及び第２分割基板がミッドプレーンに挿入される状態を示す図である。
【図５】（ａ）は、本発明の第２実施形態の誤挿入防止構造を有する基板と、ミッドプレーンとを示す模式図であり、（ｂ）はミッドプレーンの一部を示す図である。
【図６】（ａ）ないし（ｃ）は、同実施形態においてペアでない第１分割基板及び第２分割基板がミッドプレーンに挿入された状態の各干渉部材をそれぞれ示す図である。
【図７】本発明の第３実施形態の誤挿入防止構造を有する基板と、ミッドプレーンとを示す模式図である。
【図８】（ａ）は、同実施形態において、ペアとなる第１分割基板及び第２分割基板がミッドプレーンに挿入される状態を示し、（ｂ）は、ペアでない第１分割基板及び第２分割基板がミッドプレーンに挿入される状態を示す部分模式図である。
【符号の説明】
【００５６】
１…ネットワーク機器、６、２１、３１…ネットワーク基板（ミッドプレーン方式基板）、８、２２、３２…ミッドプレーン、１１、２３Ａ、２３Ｂ…第１干渉部材（第１対応確認部）、１４、２５Ａ、２５Ｂ…第２干渉部材（第２対応確認部）、１５Ａ、１５Ｂ、３３…孔（干渉許容部）、２４Ａ、２４Ｂ…切り欠き（干渉許容部）、４０…干渉部、４１…第１当接部材（当接部材）、４２…第１対応確認部、４３…第１当接部材（第２対応確認部）
【図１】
2008181837.tif 000003
【図２】
2008181837.tif 000004
【図３】
2008181837.tif 000005
【図４】
2008181837.tif 000006
【図５】
2008181837.tif 000007
【図６】
2008181837.tif 000008
【図７】
2008181837.tif 000009
【図８】
2008181837.tif 000010